(57)【特許請求の範囲】
【請求項１】
アルミニウム材からなる陽極箔と陰極箔とをセパレータ紙を介して巻回したコンデンサ素子と、上記陽極箔と陰極箔とから引き出されたアルミニウム材からなるリボン状の陽極リード箔および陰極リード箔と、上記コンデンサ素子が収納される有底筒状の金属ケースと、アルミニウム材からなる一対のリベットが貫設され、上記金属ケースの開口部を封口する封口板とを含み、上記各リベットのケース内側の首部に、上記陽極リード箔および陰極リード箔がアルミニウム材からなるワッシャを介してそれぞれかしめにより固定される端子付電解コンデンサにおいて、
上記ワッシャの少なくとも一方の面が、複数の凹部および／または凸部を含む非平坦面として形成されているとともに、上記ワッシャの側面にも、上記ワッシャの有無を目視にて確認可能とするための複数の凹部および／または凸部を含む光乱反射用の非平坦面が形成されていることを特徴とする端子付電解コンデンサ。
【発明の詳細な説明】
【０００１】
【発明の属する技術分野】
本発明は、ラグ端子型電解コンデンサやネジ端子型電解コンデンサなどの端子付電解コンデンサに関し、さらに詳しく言えば、コンデンサ素子から引き出されているリード箔を封口板に設けられているリベットにかしめ固定する際に用いられるワッシャに関するものである。
【０００２】
【従来の技術】
端子付電解コンデンサはその扱う電気量が大きいことから、コンデンサ素子の引き出しリードはリボン状のリード箔とされ、また、封口部材としては硬質樹脂板からなる封口板が用いられている。封口板には一対のリベットが貫設されており、引き出しリード箔はケース内側においてそのリベットに接続されることにより、外部に引き出される。
【０００３】
その一般的な構成例を図３に示す。これによると、端子付電解コンデンサは、有底円筒状の金属ケース１を備え、同金属ケース１内にはコンデンサ素子２が収納され、かつ、ピッチなどの固定材３により固定されている。
【０００４】
コンデンサ素子２は、アルミニウムからなる陽極箔と陰極箔とをセパレータ紙を介して渦巻き状に巻回し、電解液を含浸したものからなり、その陽極箔と陰極箔とからアルミニウムのリボン片からなる引き出しリード箔４，５がそれぞれ引き出されている。金属ケース１の開口部は、封口板６によって封口されている。
【０００５】
通常、封口板６には上面にゴム板６ｂが積層されたベークライトなどの硬質樹脂板６ａが用いられ、同封口板６には一対のリベット（アルミニウム製の鋲）７，８が貫設されている。各リベット７，８のケース外側端にはラグ端子７ａ，８ａがそれぞれ取り付けられている。なお、ネジ端子型の場合には、各リベット７，８のケース外側端に雌ねじが設けられる。
【０００６】
各引き出しリード箔４，５は、その極性に対応するリベット７，８のケース内側の首部７ｂ，８ｂにかしめ固定される。すなわち、各引き出しリード箔４，５の端部に孔を開け、その孔をリベットの首部７ｂ，８ｂに挿通するとともに、箔切れ防止のためにワッシャ９を挿通して重ねた上で、首部７ｂ，８ｂをかしめにより潰して固定する。
【０００７】
このかしめ固定によれば、機械強度的には高い信頼性が得られ耐振動性などの面では問題はないが、ワッシャが介在することにより接触抵抗値が高くなるばかりでなく、かしめ圧によって接触抵抗値にばらつきが出ることがある。
【０００８】
また、リベット，リード箔およびワッシャのすべてがアルミニウム材からなり、同色を呈するため、特にかしめ後においては、ワッシャの有無（入れ忘れ）を目視で確認することが困難となる。
【０００９】
【発明が解決しようとする課題】
したがって、本発明の課題は、リベットにリード箔をワッシャを介してかしめて固定する際の接触抵抗値を下げるとともに、接触抵抗値のばらつきを安定化させることと、およびかしめ後においても、ワッシャの有無を目視にて容易に確認できるようにすることにある。
【００１０】
【課題を解決するための手段】
上記課題を解決するため、本発明は、アルミニウム材からなる陽極箔と陰極箔とをセパレータ紙を介して巻回したコンデンサ素子と、上記陽極箔と陰極箔とから引き出されたアルミニウム材からなるリボン状の陽極リード箔および陰極リード箔と、上記コンデンサ素子が収納される有底筒状の金属ケースと、アルミニウム材からなる一対のリベットが貫設され、上記金属ケースの開口部を封口する封口板とを含み、上記各リベットのケース内側の首部に、上記陽極リード箔および陰極リード箔がアルミニウム材からなるワッシャを介してそれぞれかしめにより固定される端子付電解コンデンサにおいて、上記ワッシャの少なくとも一方の面が、複数の凹部および／または凸部を含む非平坦面として形成されているとともに、上記ワッシャの側面にも、上記ワッシャの有無を目視にて確認可能とするための複数の凹部および／または凸部を含む光乱反射用の非平坦面が形成されていることを特徴としている。
【００１１】
この構成によれば、ワッシャの表面積が平坦面のときよりも増え、より広い面でリード箔と接触することになるため、その分、接触抵抗値が下げられ、また、接触抵抗値のばらつきも小さくなり安定させることが可能となる。また、機械的強度も高くなる。好ましくは、ワッシャの表裏両面が非平坦面であるとよい。凹凸の形状は任意である。円錐状もしくは四角錐状の窪みもしくは凸部が好ましく採用されるが、環状のリブや格子状のリブであってもよい。
【００１２】
ワッシャの表面のみを非平坦面としても、通常、ワッシャはリベットのかしめ後の頭よりも大きいためワッシャの外縁部を視認できるが、本発明では、ワッシャの表面および／または裏面のみでなく、ワッシャの側面にも、ワッシャの有無を目視にて確認可能とするための複数の凹部および／または凸部を含む光乱反射用の非平坦面が形成される。これによれば、かしめ後においてワッシャの入れ忘れを目視にて容易に確認することができる。
【００１３】
【発明の実施の形態】
次に、図１および図２を参照して、本発明の実施形態について説明する。図１は本発明で用いられるワッシャの拡大斜視図、図２は陽極側リベットに対してリード箔をかしめて固定する手順を示す説明図であるが、陰極側リベットに対するかしめも陽極側と同様にして行われる。なお、端子付電解コンデンサ自体の基本的な構成については、図３の全体構成図を参照されたい。
【００１４】
まず、図１の拡大斜視図を参照して、本発明で用いるワッシャ１０はアルミニウム材からなり、非平坦面加工が施されている。非平坦面加工とは、平坦な面に凹部もしくは凸部のいずれか、または凹部および凸部の双方を形成することを言う。
【００１５】
一例として、錐のような工具または金型でアルミニウム材に多数の穴を付けることにより、その表面を非平坦面とすることができるが、サンドブラスト法や化学エッチング法などによってもよい。
【００１６】
リード箔に対する接触面積を増やして接触抵抗値を下げるには、錐などによる穴付けが好ましいが、光を乱反射させるような粗面を得るには、金型、サンドブラスト法または化学エッチング法が好ましいと言える。
【００１７】
リード箔に対する接触抵抗値を下げるには、非平坦面加工は、少なくともワッシャ１０の表面もしくは裏面のいずれか一方に施されればよいが、接触抵抗値をより下げるため、この実施形態では、ワッシャ１０の表裏両面に非平坦面加工を施している。また、かしめ後において、目視でワッシャの有無の確認を容易にするため、ワッシャ１０の側面（周面）にも非平坦面加工を施している。
【００１８】
次に、図２を参照して、リベットに対するリード箔のかしめ固定について説明する。まず、図２（ａ）に示すように、リード箔４の端部に孔４ａを開ける。この例では、３枚のリード箔４の各先端部を重ねて超音波溶接で接合した上で孔４ａを開けている。
【００１９】
そして、その孔４ａをリベット７の首部７ａに挿通し、ひき続いてワッシャ１０を首部７ａに挿通してリード箔４に重ねた後、図２（ｂ）に示すように、首部７ａをかしめにより潰してリード箔４をワッシャ１０とともにリベット７に固定する。
【００２０】
これによれば、ワッシャ１０の表裏両面に凹凸が形成されているため、かしめ時にリード箔４に対する接触面積が増大し接触抵抗値が下げられるとともに、接触抵抗値のばらつきも抑えられる。
【００２１】
また、ワッシャ１０の側面が乱反射面であるため、リード箔４およびリベット７が同じアルミニウム材であるとしても、それらからワッシャ１０を目視で容易に識別することができ、センサによる自動識別もより簡単に可能となる。
【００２２】
具体的な例として、外径５．０ｍｍ，内径２．７ｍｍ，厚さ０．８ｍｍのワッシャに対して、１辺が０．２ｍｍ，深さ０．０５ｍｍの四角錐穴を片面当たり約５０個形成したところ、表面が平坦な同寸法のワッシャに比べて、接触抵抗値を約０．４ｍΩ下げることができた。しかも、接触抵抗値の最大値と最小値との間の幅を０．１５９ｍΩから０．１３９ｍΩにまで下げることができた。
【００２３】
また、ワッシャの側面に、より細かな平均径０．１ｍｍの穴（凹部）を多数形成したところ良好な光乱反射面となり、かしめ後においても、目視でワッシャの有無の容易に確認することができた。
【００２４】
【発明の効果】
以上説明したように、本発明によれば、端子付電解コンデンサにおいて、封口板のリベットにリード箔をワッシャを介してかしめ固定するにあたって、少なくとも一方の面が複数の凹部および／または凸部を含む非平坦面とされたワッシャを用いたことにより、リード箔に対するワッシャの接触抵抗を下げることができるとともに、接触抵抗値のばらつきを安定化させることができる。
【００２５】
また、ワッシャの側面も非平坦面の光乱反射面とすることにより、かしめ後においても、より楽に目視でワッシャの有無を確認することができる。
【図面の簡単な説明】
【図１】本発明による端子付電解コンデンサが備えるワッシャの実施形態を示した拡大斜視図。
【図２】リベットに対してリード箔をかしめ固定する手順を示す説明図。
【図３】従来例としての端子付電解コンデンサを示した断面図。
【符号の説明】
１  金属ケース
２  コンデンサ素子
４，５  リード箔
６  封口板
７，８  リベット
７ａ，８ａ  ラグ端子
７ｂ，８ｂ  首部
１０  ワッシャ
【図１】
0004139941.tif 000002
【図２】
0004139941.tif 000003
【図３】
0004139941.tif 000004